(57)【要約】【課題】撮像画像の測色箇所と色彩情報との対応付けを簡便な構成で行うことが可能な撮像装置を提供することを目的とする。【解決手段】被写体のカラーの画像データを記録するＲＧＢ画像メモリ６と、画像データを表示するとともに、その画像データにおいて、ユーザにより選択される測色箇所に対応する測色位置データを取得する画像表示／測色位置取得部７と、測色位置データを記録する測色位置データメモリ８と、ユーザからの測色指示に基づいて測色データを取得する測色センサ１０と、測色データを記録する測色データメモリ１１と、表示中の画像データと、測色位置データメモリ８に記録されている測色位置データと、測色データメモリ１１に記録されている測色データとを互いに対応付けて保存する保存部１２とを備えて撮像装置１を構成する。【選択図】図１
2010268409.tif 000002
【特許請求の範囲】
【請求項１】
被写体のカラーの画像データを取得する撮像手段と、
前記撮像手段により取得された画像データを表示する表示手段と、
前記表示手段に表示される画像データにおいて、ユーザにより選択される測色箇所に対応する測色位置データを取得する測色位置取得手段と、
前記測色位置データを記録する測色位置データ記録手段と、
光源と、
前記光源の近傍に設けられ、ユーザからの測色指示に基づいて測色を行い、その測色結果である測色データを取得する測色手段と、
前記測色データを記録する測色データ記録手段と、
前記表示手段に表示されている画像データと、前記測色位置データ記録手段に記録されている測色位置データと、前記測色データ記録手段に記録されている測色データとを互いに対応付けて保存する保存手段と、
を備えることを特徴とする撮像装置。
【請求項２】
請求項１に記載の撮像装置であって、
ユーザからの照明光測定指示に基づいて照明光測定を行い、その測定結果である照明光データを取得する照明光測定手段と、
前記照明光データを記録する照明光データ記録手段と、
を備え、
前記保存手段は、前記表示手段に表示されている画像データと、前記測色位置データ記録手段に記録されている測色位置データと、前記測色データ記録手段に記録されている測色データと、前記照明光データ記録手段に記録されている照明光データとを互いに対応付けて保存する
ことを特徴とする撮像装置。
【請求項３】
請求項２に記載の撮像装置であって、
前記測色データと、前記測色手段により測色データが取得されたときに前記照明光測定手段により取得される照明光データとに基づいて前記測色位置データに対応する画像データの測色箇所に対して色補正を行う色補正手段を備える
ことを特徴とする撮像装置。
【請求項４】
請求項３に記載の撮像装置であって、
前記色補正手段は、前記撮像手段により画像データが撮像されたときに前記照明光測定手段により検出される照明光データに基づいて前記画像データに対して色補正する
ことを特徴とする撮像装置。
【請求項５】
請求項３に記載の撮像装置であって、
ユーザからの色補正量が入力される色補正量入力手段を備え、
前記色補正手段は、前記色補正量入力手段により入力される色補正量に基づいて前記画像データに対して色補正する
ことを特徴とする撮像装置。
【請求項６】
請求項１に記載の撮像装置であって、
前記撮像手段は、前記被写体像を電気信号に変換する撮像素子を備え、
前記測色手段は、前記撮像素子よりも多くのスペクトル情報を取得する
ことを特徴とする撮像装置。
【請求項７】
請求項２に記載の撮像装置であって、
前記撮像手段は、前記被写体像を電気信号に変換する撮像素子を備え、
前記照明光測定手段は、前記撮像素子よりも多くのスペクトル情報を取得する
ことを特徴とする撮像装置。
【請求項８】
請求項１に記載の撮像装置であって、
前記測色手段は、分光測色計又は色彩測色計である
ことを特徴とする撮像装置。
【請求項９】
請求項２に記載の撮像装置であって、
前記照明光測定手段は、分光測色計又は色彩測色計である
ことを特徴とする撮像装置。
【請求項１０】
請求項１に記載の撮像装置であって、
前記表示手段は、タッチパネルである
ことを特徴とする撮像装置。
【発明の詳細な説明】
【技術分野】
【０００１】
本発明は、測色センサを備える撮像装置に関する。
【背景技術】
【０００２】
従来、色彩設計を行うデザイナやカラーコーディネータなど多くの分野において、色彩管理が行われている。例えば、特許文献１では、撮影画像の高精度な色補正を行うことができる撮影システムについて提案がなされている。皮膚科や歯科の医療現場で、患部を測色計で取得し、ＲＧＢカラー撮像素子で撮影した撮影画像に適用して色補正を行うことにより正確な色再現を実現している。色彩管理において、例えば、カラーコーディネータは色票を用いたり、分光計、色彩計等の測色機器を利用している。また、色彩設計を行う分野では、色彩設計する対象物の撮影にデジタルカメラが利用されることが多い。例えば、特許文献２では、可搬性の測色計で検出された色成分値に基づいて、取得される画像に対して精度よく色補正を行うことができるデジタルカメラが提案されている。
【０００３】
デジタルカメラは、近年、高画素化、低廉化が進み、これに伴い色彩管理における利用分野も広がっている。デジタルカメラは、画像を容易に取得することができ、撮像後直ちに画像を確認することができるという利点がある反面、色補正の精度が低いことから、同一被写体であっても、撮影の度に撮像画像の色が異なる等の問題がある。デジタルカメラにおける色補正の精度は、種々の原因によって低下する。
【０００４】
また、カラーコーディネータが色彩設計を行う撮像画像において色彩設計をしたい個々の測色箇所と色彩情報とを関連付けるシステムが従来、複数の機器（例えば、撮像装置、測色機器、及びコンピュータなど）により実現されている。
【０００５】
しかしながら、このように、撮像画像の測色箇所と色彩情報とを関連付けるシステムは、従来では複数の機器により実施され、非常に複雑になるという問題がある。
【先行技術文献】
【特許文献】
【０００６】
【特許文献１】特開２００５−３４１１７５号公報
【特許文献２】特開２００４−１８０３３０号公報
【発明の概要】
【発明が解決しようとする課題】
【０００７】
本発明では、撮像画像の測色箇所と色彩情報との対応付けを簡便な構成で行うことが可能な撮像装置を提供することを目的とする。
【課題を解決するための手段】
【０００８】
本発明の撮像装置は、被写体のカラーの画像データを取得する撮像手段と、前記撮像手段により取得された画像データを表示する表示手段と、前記表示手段に表示される画像データにおいて、ユーザにより選択される測色箇所に対応する測色位置データを取得する測色位置取得手段と、前記測色位置データを記録する測色位置データ記録手段と、光源と、前記光源の近傍に設けられ、ユーザからの測色指示に基づいて測色を行い、その測色結果である測色データを取得する測色手段と、前記測色データを記録する測色データ記録手段と、前記表示手段に表示されている画像データと、前記測色位置データ記録手段に記録されている測色位置データと、前記測色データ記録手段に記録されている測色データとを互いに対応付けて保存する保存手段とを備える。
【０００９】
また、上記撮像装置は、ユーザからの照明光測定指示に基づいて照明光測定を行い、その測定結果である照明光データを取得する照明光測定手段と、前記照明光データを記録する照明光データ記録手段とを備え、前記保存手段は、前記表示手段に表示されている画像データと、前記測色位置データ記録手段に記録されている測色位置データと、前記測色データ記録手段に記録されている測色データと、前記照明光データ記録手段に記録されている照明光データとを互いに対応付けて保存するように構成してもよい。
【００１０】
また、上記撮像装置は、前記測色データと、前記測色手段により測色データが取得されたときに前記照明光測定手段により取得される照明光データとに基づいて前記測色位置データに対応する画像データの測色箇所に対して色補正を行う色補正手段を備えるように構成してもよい。
【００１１】
また、前記色補正手段は、前記撮像手段により画像データが撮像されたときに前記照明光測定手段により検出される照明光データに基づいて前記画像データに対して色補正するように構成してもよい。
【００１２】
また、上記撮像装置は、ユーザからの色補正量が入力される色補正量入力手段を備え、前記色補正手段は、前記色補正量入力手段により入力される色補正量に基づいて前記画像データに対して色補正するように構成してもよい。
【００１３】
また、前記撮像手段は、前記被写体像を電気信号に変換する撮像素子を備え、前記測色手段は、前記撮像素子よりも多くのスペクトル情報を取得するように構成してもよい。
また、前記撮像手段は、前記被写体像を電気信号に変換する撮像素子を備え、前記照明光測定手段は、前記撮像素子よりも多くのスペクトル情報を取得するように構成してもよい。
【００１４】
また、前記測色手段を分光測色計又は色彩測色計としてもよい。
また、前記照明光測定手段を分光測色計又は色彩測色計としてもよい。
また、前記表示手段をタッチパネルとしてもよい。
【発明の効果】
【００１５】
本発明によれば、単体の撮像装置において、撮像画像の測色箇所と色彩情報との対応付けを簡便な構成で行うことができる。
【図面の簡単な説明】
【００１６】
【図１】第１実施形態の撮像装置を示す図である。
【図２】第１実施形態の撮像装置の動作を説明するためのフローチャートである。
【図３Ａ】第１実施形態の撮像装置を扱うユーザの動作を説明するための図である。
【図３Ｂ】第１実施形態の撮像装置を扱うユーザの動作を説明するための図である。
【図３Ｃ】第１実施形態の撮像装置を扱うユーザの動作を説明するための図である。
【図３Ｄ】第１実施形態の撮像装置を扱うユーザの動作を説明するための図である。
【図３Ｅ】第１実施形態の撮像装置を扱うユーザの動作を説明するための図である。
【図３Ｆ】第１実施形態の撮像装置を扱うユーザの動作を説明するための図である。
【図４】測色位置データを得る際の画像表示／測色位置取得部の動作の一例を説明するためのフローチャートである。
【図５】ユーザの動作を説明するための図である。
【図６】測色位置データを得る際の画像表示／測色位置取得部の動作の他の例を説明するためのフローチャートである。
【図７】ユーザの動作を説明するための図である。
【図８】第２実施形態の撮像装置を示す図である。
【図９】第２実施形態の撮像装置の動作を説明するためのフローチャートである。
【図１０Ａ】第２実施形態の撮像装置を扱うユーザの動作を説明するための図である。
【図１０Ｂ】第２実施形態の撮像装置を扱うユーザの動作を説明するための図である。
【図１０Ｃ】第２実施形態の撮像装置を扱うユーザの動作を説明するための図である。
【図１０Ｄ】第２実施形態の撮像装置を扱うユーザの動作を説明するための図である。
【図１０Ｅ】第２実施形態の撮像装置を扱うユーザの動作を説明するための図である。
【図１０Ｆ】第２実施形態の撮像装置を扱うユーザの動作を説明するための図である。
【図１０Ｇ】第２実施形態の撮像装置を扱うユーザの動作を説明するための図である。
【図１０Ｈ】第２実施形態の撮像装置を扱うユーザの動作を説明するための図である。
【図１１Ａ】第２実施形態の撮像装置を扱うユーザの他の動作を説明するための図である。
【図１１Ｂ】第２実施形態の撮像装置を扱うユーザの他の動作を説明するための図である。
【図１１Ｃ】第２実施形態の撮像装置を扱うユーザの他の動作を説明するための図である。
【図１１Ｄ】第２実施形態の撮像装置を扱うユーザの他の動作を説明するための図である。
【図１１Ｅ】第２実施形態の撮像装置を扱うユーザの他の動作を説明するための図である。
【図１２Ａ】第２実施形態の撮像装置を扱うユーザのさらに他の動作を説明するための図である。
【図１２Ｂ】第２実施形態の撮像装置を扱うユーザのさらに他の動作を説明するための図である。
【図１２Ｃ】第２実施形態の撮像装置を扱うユーザのさらに他の動作を説明するための図である。
【図１２Ｄ】第２実施形態の撮像装置を扱うユーザのさらに他の動作を説明するための図である。
【図１２Ｅ】第２実施形態の撮像装置を扱うユーザのさらに他の動作を説明するための図である。
【図１３】第３実施形態の撮像装置を示す図である。
【発明を実施するための形態】
【００１７】
＜第１実施形態＞
図１は、本発明の第１実施形態の撮像装置を示す図である。
図１に示す撮像装置１は、撮影レンズ２と、ＲＧＢカラー撮像素子３と、信号処理部４と、Ａ／Ｄ変換部５と、ＲＧＢ画像メモリ６と、画像表示／測色位置取得部７と、測色位置データメモリ８と、光源９と、測色センサ１０と、測色データメモリ１１と、保存部１２とを備えて構成される。
【００１８】
なお、測色センサ１０は、撮像装置１に内蔵されていてもよいし、撮像装置１から取り外し可能なように構成されてもよい。
また、画像表示／測色位置取得部７は、タッチパネルにより構成されているものとする。これにより、ユーザは、画像表示／測色位置取得部７に表示される画像データにおいて測色箇所を容易に選択することができる。
【００１９】
第１実施形態の撮像装置１は、ユーザから撮像指示があると、撮影レンズ２によりＲＧＢカラー撮像素子３上に結像される被写体像をＲＧＢカラー撮像素子３により電気信号に変換し、その電気信号を信号処理部４において画像処理して画像データを生成し、その画像データをＡ／Ｄ変換部５によりデジタルに変換する。次に、撮像装置１は、その画像データをＲＧＢ画像メモリ６に一旦記録した後、保存部１２に保存するとともに、画像表示／測色位置取得部７に表示する。
【００２０】
また、第１実施形態の撮像装置１は、ユーザから所定の画像データの表示指示があると、その画像データを保存部１２から読み出し、画像表示／測色位置取得部７に表示する。
なお、画像表示／測色位置取得部７は、表示中の画像データをユーザの操作により拡大又は縮小することが可能な機能を備えているものとする。
【００２１】
図２は、第１実施形態の撮像装置１の動作を説明するためのフローチャートである。なお、ユーザからの撮像指示後又は表示指示後の画像データの表示処理以降の撮像装置１の動作を説明する。
【００２２】
まず、撮像装置１は、画像データを画像表示／測色位置取得部７に表示した後（Ｓ１１）、画像表示／測色位置取得部７に表示中の画像データにおいてユーザにより測色箇所が選択されたか否かを判断する（Ｓ１２）。
【００２３】
測色箇所が選択されたと判断した場合（Ｓ１２がＹｅｓ）、撮像装置１は、その測色箇所に対応する測色位置データを画像表示／測色位置取得部７により取得し、その測色位置データを測色位置データメモリ８に記録する（Ｓ１３）。
【００２４】
次に、撮像装置１は、ユーザから測色指示が有ったか否かを判断する（Ｓ１４）。
測色指示が有ったと判断した場合（Ｓ１４がＹｅｓ）、撮像装置１は、測色センサ１０により測色を行い、その測色結果である測色データを取得した後、測色データを測色データメモリ１１に記録するとともに画像表示／測色位置取得部７に表示する（Ｓ１５）。
【００２５】
次に、撮像装置１は、保存部１２に保存されている、画像表示／測色位置取得部７に表示中の画像データと、測色位置データメモリ８に記録されている測色位置データと、測色データメモリ１１に記録されている測色データとを互いに対応付けして保存部１２に保存し（Ｓ１６）、Ｓ１１に戻る。このとき、新たな撮像指示や表示指示がある場合は、その指示に対応する画像データに対して上記Ｓ１１〜Ｓ１６の処理が行われる。また、画像表示／測色位置取得部７に表示中の画像データに対して再度上記Ｓ１１〜Ｓ１６の処理が行われると、その画像データに対して新たな測色位置データや測色データが対応付けられる。
【００２６】
これにより、ユーザは、保存部１２に保存される画像データの測色箇所と、その測色箇所に対応付けられた測色データとを用いて、色彩設計などを行うことができる。また、第１実施形態の撮像装置１では測色センサ１０の近傍に光源９が設けられる構成であるため、ユーザは測色データと光源９の分光分布とに基づいて外光に依存しない測色箇所の物体色を得ることができる。
【００２７】
図３Ａ〜図３Ｆは、第１実施形態の撮像装置１を扱うユーザの動作の一例を示す図である。
まず、図３Ａに示すように、ユーザは、不図示のレリーズボタンを押すなどして被写体として「家」を撮影する。又は、図３Ｂに示すように、ユーザは、画像表示／測色位置取得部７に表示させる画像データとして保存部１２に保存されている画像データの中から「家」が撮影された画像データを選択する。すると、図３Ｃに示すような画像データＡが画像表示／測色位置取得部７に表示される。このとき、ユーザに測色箇所を選択させるためのメッセージとして、例えば、図３Ｃに示すように、「画面にタッチして測色箇所を選択してください」というメッセージが画像表示／測色位置取得部７に表示されてもよい。
【００２８】
次に、図３Ｄに示すように、ユーザは、画像表示／測色位置取得部７に表示される画像データＡにおいて測色箇所として「ドア」を指でタッチすることにより選択する。すると、画像表示／測色位置取得部７により「ドア」に対応する測色位置データＡ１が得られ、その測色位置データＡ１が測色位置データメモリ８に記録される。このとき、例えば、図３Ｅに示すように、ユーザにより選択された測色箇所が破線により囲まれてもよい。ユーザはこの破線により「ドア」が測色箇所として選択されたことを確認することができる。また、ユーザに測色を開始させるためのメッセージとして、例えば、図３Ｅに示すように、「測色箇所にセンサを接触させて測色開始ボタンを押してください」というメッセージが画像表示／測色位置取得部７に表示されてもよい。
【００２９】
次に、図３Ｆに示すように、ユーザは、「ドア」まで移動した後、その「ドア」に測色センサ１０を接触させて不図示の測色開始ボタンを押す。すると、測色センサ１０により測色データＡ１が取得され、その測色データＡ１が測色データメモリ１１に記録される。
【００３０】
これにより、画像データＡと測色位置データＡ１と測色データＡ１とが互いに対応付けられて保存部１２に保存される。
なお、その後、同じ画像データＡにおいてさらにユーザにより新たな測色箇所が選択された場合、その測色箇所に対応する測色位置データＡ２が測色位置データメモリ８に記録される。そして、ユーザにより測色開始ボタンが押されると、測色データＡ２が測色データメモリ１１に記録され、画像データＡと測色位置データＡ２と測色データＡ２とが互いに対応付けられて保存部１２に保存される。
【００３１】
また、異なる画像データＢにおいてユーザにより測色箇所が選択された場合、その測色箇所に対応する測色位置データＢ１が測色位置データメモリ８に記録される。そして、ユーザにより測色開始ボタンが押されると、測色データＢ１が測色データメモリ１１に記録され、画像データＢと測色位置データＢ１と測色データＢ１とが互いに対応付けられて保存部１２に保存される。
【００３２】
図４は、測色位置データを取得する際の画像表示／測色位置取得部７の動作の一例を説明するためのフローチャートである。
まず、画像表示／測色位置取得部７は、図５に示すように、ユーザによりタッチされたか否かを判断する（Ｓ２１）。
【００３３】
タッチされたと判断した場合（Ｓ２１がＹｅｓ）、画像表示／測色位置取得部７は、タッチされた箇所の色と似ている色の画素すべての位置データを測色位置データとして取得する（Ｓ２２）。なお、上記似ている色とは、例えば、タッチされた箇所の画素の色相、明度、又は彩度が所定範囲内にある色とする。
【００３４】
図６は、測色位置データを取得する際の画像表示／測色位置取得部７の動作の他の例を説明するためのフローチャートである。
まず、画像表示／測色位置取得部７は、図７に示すように、ユーザにより閉曲線を描くようにタッチされたか否かを判断する（Ｓ３１）。
【００３５】
閉曲線を描くようにタッチされたと判断した場合（Ｓ３１がＹｅｓ）、画像表示／測色位置取得部７は、描かれた閉曲線内の全ての画素の位置データを測色位置データとして取得する（Ｓ３２）。
【００３６】
なお、ユーザによる不図示の操作ボタンの操作により、画像表示／測色位置取得部７に表示されるカーソルを移動させるなどして測色箇所を選択させるように構成してもよい。この場合、画像表示／測色位置取得部７は、タッチパネルで構成されていなくてもよい。
【００３７】
第１実施形態の撮像装置１によれば、ユーザは、画像表示／測色位置取得部７に表示される画像データにおいて測色箇所を選択した後、その測色箇所に測色センサ１０を接触させて測色を行うことだけで、その画像データの測色箇所と測色データとが互いに対応付けられて保存部１２に保存される。このように、第１実施形態の撮像装置１によれば、簡便な構成で画像データの測色箇所と色彩情報とを互いに対応付けることができる。
＜第２実施形態＞
図８は、第２実施形態の撮像装置を示す図である。なお、図１に示す構成と同じ構成には同じ符号を付している。
【００３８】
図８に示す撮像装置１３は、撮影レンズ２と、ＲＧＢカラー撮像素子３と、信号処理部４と、Ａ／Ｄ変換部５と、ＲＧＢ画像メモリ６と、画像表示／測色位置取得部７と、測色位置データメモリ８と、光源９と、測色センサ１０と、測色データメモリ１１と、保存部１２と、照明センサ１４と、照明光データメモリ１５と、色補正部１６とを備えて構成される。なお、測色センサ１０や照明センサ１４は、ＲＧＢカラー撮像素子３よりも多くのスペクトル情報を取得可能なように構成されていてもよい。例えば、測色センサ１０及び照明センサ１４は、それぞれ、スペクトル情報を検出する分光測色計により構成されてもよい。これにより、スペクトル情報により画像データを色補正することができるため、より正確な色再現が可能になる。また、測色センサ１０及び照明センサ１４は、それぞれ、色度情報を検出する色彩測色計により構成されてもよい。これにより、測色箇所の色や照明光を色度情報で取得することができるため、スペクトル情報により画像データの色補正を行う場合に比べて、色補正の計算を簡単にすることができる。また、測色センサ１０及び照明センサ１４は、それぞれ、独立のディバイスで構成されてもよいし、共通のディバイスで構成されてもよい。共通のディバイスで構成する場合は、センサを１つにすることができるため、その分コストを低減することができる。
【００３９】
第２実施形態の撮像装置１３は、第１実施形態の撮像装置１と同様に、ユーザから撮像指示があると、撮影レンズ２によりＲＧＢカラー撮像素子３上に結像される被写体像をＲＧＢカラー撮像素子３により電気信号に変換し、その電気信号を信号処理部４において画像処理して画像データを生成し、その画像データをＡ／Ｄ変換部５によりデジタルに変換する。次に、撮像装置１３は、その画像データをＲＧＢ画像メモリ６に一旦記録した後、保存部１２に保存するとともに、画像表示／測色位置取得部７に表示する。このとき、撮像装置１３は、照明センサ１４により全体照明光データを取得し、その全体照明光データを表示中の画像データと対応付けて保存部１２に保存する。
【００４０】
また、第２実施形態の撮像装置１３は、第１実施形態の撮像装置１と同様に、ユーザから所定の画像データの表示指示があると、その画像データを保存部１２から読み出し、画像表示／測色位置取得部７に表示する。
【００４１】
図９は、第２実施形態の撮像装置１３の動作を説明するためのフローチャートである。なお、ユーザからの撮像指示後又は表示指示後の画像データの表示処理以降の撮像装置１３の動作を説明する。
【００４２】
まず、撮像装置１３は、画像データを画像表示／測色位置取得部７に表示した後（Ｓ４１）、画像表示／測色位置取得部７に表示中の画像データにおいてユーザにより測色箇所が選択されたか否かを判断する（Ｓ４２）。
【００４３】
測色箇所が選択されたと判断した場合（Ｓ４２がＹｅｓ）、撮像装置１３は、その測色箇所に対応する測色位置データを画像表示／測色位置取得部７により取得し、その測色位置データを測色位置データメモリ８に記録する（Ｓ４３）。
【００４４】
次に、撮像装置１は、ユーザから測色指示が有ったか否かを判断する（Ｓ４４）。
測色指示が無いと判断した場合（Ｓ４４がＮｏ）、撮像装置１は、Ｓ４６に進む。
一方、測色指示が有ったと判断した場合（Ｓ４４がＹｅｓ）、撮像装置１は、測色センサ１０により測色を行い、その測色結果である測色データを取得した後、測色データを測色データメモリ１１に記録するとともに、画像表示／測色位置取得部７に表示する（Ｓ４５）。
【００４５】
次に、撮像装置１は、ユーザから照明光測定指示が有ったか否かを判断する（Ｓ４６）。
照明光測定指示が無いと判断した場合（Ｓ４６がＮｏ）、撮像装置１は、Ｓ４１に戻る。
【００４６】
一方、照明光測定指示が有ったと判断した場合（Ｓ４６がＹｅｓ）、撮像装置１３は、照明センサ１４により照明光測定を行い、その測定結果である照明光データを取得した後、照明光データを照明光データメモリ１５に記録する（Ｓ４７）。
【００４７】
次に、撮像装置１３は、保存部１２に保存されている、画像表示／測色位置取得部７に表示中の画像データと、測色位置データメモリ８に記録されている測色位置データと、測色データメモリ１１に記録されている測色データと、保存部１２に保存されている全体照明光データと、照明光データメモリ１５に記録されている照明光データとを互いに対応付けて保存部１２に保存する（Ｓ４８）。
【００４８】
そして、撮像装置１３は、測色位置データ及び測色データを用いて、それらデータに対応付けられた表示中の画像データの測色箇所に対して色補正部１６により色補正を行う。また、撮像装置１３は、測色位置データ及び照明光データを用いて、それらデータに対応付けられた表示中の画像データの測色箇所に対して色補正部１６により色補正を行う。また、撮像装置１３は、全体照明光データを用いて、そのデータに対応付けられた画像データ全体に対して色補正部１６により色補正（カラーバランス調整処理）を行う。そして、撮像装置１３は、補正後の画像データを画像表示／測色位置取得部７に表示し（Ｓ４９）、Ｓ４１に戻る。このとき、新たな撮像指示や表示指示がある場合は、その指示に対応する画像データに対して上記Ｓ４１〜Ｓ４９の処理が行われる。また、画像表示／測色位置取得部７に表示中の画像データに対して再度上記Ｓ４１〜Ｓ４９の処理が行われると、その画像データに対して新たな測色位置データ、測色データ、照明光データが対応付けられる。
【００４９】
このように、光源９の近傍で取得された測色データを用いて、測色箇所に対して色補正が行われるため、測色箇所を外光に依存することなく色補正することができる。また、測色箇所の近傍で取得された照明光データを用いて、測色箇所に対して色補正が行われるため、測色箇所の物体色を人間の目で見た通りに近づけることができる。また、全体照明光データを用いて、画像データに対して色補正が行われるため、画像データ全体の見た目をよくすることができる。
【００５０】
図１０Ａ〜図１０Ｈは、第２実施形態の撮像装置１３を扱うユーザの動作の一例を示す図である。
まず、図１０Ａに示すように、ユーザは、不図示のレリーズボタンを押すなどして被写体として「家」を撮影する。又は、図１０Ｂに示すように、ユーザは、画像表示／測色位置取得部７に表示させる画像データとして保存部１２に保存されている画像データの中から「家」が撮影された画像データを選択する。すると、図１０Ｃに示すような画像データＡが画像表示／測色位置取得部７に表示される。このとき、ユーザに測色箇所を選択させるためのメッセージとして、例えば、図１０Ｃに示すように、「画面にタッチして測色箇所を選択してください」というメッセージが画像表示／測色位置取得部７に表示されてもよい。
【００５１】
次に、図１０Ｄに示すように、ユーザは、画像表示／測色位置取得部７に表示される画像データＡにおいて測色箇所として「ドア」を指でタッチすることにより選択する。すると、画像表示／測色位置取得部７により「ドア」に対応する測色位置データＡ１が得られ、その測色位置データＡ１が測色位置データメモリ８に記録される。このとき、例えば、図１０Ｅに示すように、ユーザにより選択された測色箇所が破線により囲まれてもよい。ユーザはこの破線により「ドア」が測色箇所として選択されたことを確認することができる。また、ユーザに測色を開始させるためのメッセージとして、例えば、図１０Ｅに示すように、「測色箇所に測色センサを接触させて測色開始ボタンを押してください」というメッセージが画像表示／測色位置取得部７に表示されてもよい。
【００５２】
次に、図１０Ｆに示すように、ユーザは、「ドア」まで移動した後、その「ドア」に測色センサ１０を接触させて不図示の測色開始ボタンを押す。すると、測色センサ１０により測色データＡ１が得られ、その測色データＡ１が測色データメモリ１１に記録される。このとき、例えば、ユーザに照明光測定を開始させるためのメッセージとして、図１０Ｇに示すように、「照明光測定開始ボタンを押してください」というメッセージが画像表示／測色位置取得部７に表示されてもよい。
【００５３】
次に、図１０Ｈに示すように、ユーザは、「ドア」の近傍で不図示の照明光測定開始ボタンを押す。すると、照明センサ１４により照明光データＡ１が取得され、その照明光データＡ１が照明光データメモリ１５に記録される。
【００５４】
これにより、画像データＡと測色位置データＡ１と測色データＡ１と照明光データＡ１とが互いに対応付けられて保存部１２に保存される。
なお、その後、同じ画像データＡにおいてさらにユーザにより新たな測色箇所が選択された場合、その測色箇所に対応する測色位置データＡ２が測色位置データメモリ８に記録される。そして、ユーザにより測色開始ボタンが押されると、測色データＡ２が測色データメモリ１１に記録される。また、ユーザにより照明光測定開始ボタンが押されると、照明光データＡ２が照明光データメモリ１５に記録される。すると、画像データＡと、測色位置データＡ２と、測色データＡ２と、照明光データＡ２とが互いに対応付けられて保存部１２に保存される。
【００５５】
また、異なる画像データＢにおいてユーザにより測色箇所が選択された場合、その測色箇所に対応する測色位置データＢ１が測色位置データメモリ８に記録される。そして、ユーザにより測色開始ボタンが押されると、測色データＢ１が測色データメモリ１１に記録される。また、ユーザにより照明光測定開始ボタンが押されると、照明光データＢ２が照明光データメモリ１５に記録される。すると、画像データＢと、測色位置データＢ１と、測色データＢ１と、照明光データＢ１とが互いに対応付けられて保存部１２に保存される。
【００５６】
図１１Ａ〜図１１Ｅは、測色データのみを変更する場合のユーザの動作を説明するための図である。なお、図１１Ａに示すような画像データＡが画像表示／測色位置取得部７に表示されているものとする。
【００５７】
まず、図１１Ｂに示すように、ユーザは、画像表示／測色位置取得部７に表示される画像データＡにおいて測色データを変更したい測色箇所として「ドア」を指でタッチすることにより選択する。すると、画像表示／測色位置取得部７により「ドア」に対応する測色位置データＡ１が得られ、その測色位置データＡ１が測色位置データメモリ８に記録される。このとき、ユーザに測色を開始させるためのメッセージとして、例えば、図１１Ｃに示すように、「測色箇所に測色センサを接触させて測色開始ボタンを押してください」というメッセージが画像表示／測色位置取得部７に表示される。
【００５８】
そして、図１１Ｄに示すように、ユーザは、画像データＡの「ドア」と異なる「ドア」に測色センサ１０を接触させて不図示の測色開始ボタンを押す。すると、測色センサ１０により測色データＡ２が得られ、その測色データＡ２が測色データメモリ１１に記録される。このとき、照明光測定は行われないため、保存部１２には、画像データＡ、測色位置データＡ１、測色データＡ２、及び照明光データＡ１が互いに対応付けられて保存される。また、色補正部１６において、測色データＡ２及び照明光データＡ１に基づいて、画像データＡの測色位置データＡ１に対応する測色箇所に対して色補正が行われ、その色補正後の画像データＡが図１１Ｅに示すように画像表示／測色位置取得部７に表示される。
【００５９】
これにより、すでに取得済みの画像データにおいて測色データのみを変更することができる。そのため、例えば、ユーザは、家の中のドアを撮影した後、ドアの販売店に行って新しいドアに対して測色を行うことにより、画像表示／測色位置取得部７に表示される画像データを見ながら家の照明環境における新しいドアの色を確認することができ、家の照明光に合ったドアを購入することができる。
【００６０】
図１２Ａ〜図１２Ｅは、照明光データのみを変更する場合のユーザの動作を説明するための図である。なお、図１２Ａに示すような画像データＢが画像表示／測色位置取得部７に表示されているものとする。
【００６１】
まず、図１２Ｂに示すように、ユーザは、画像表示／測色位置取得部７に表示される画像データＢにおいて照明光データを変更したい測色箇所として「壁紙」を指でタッチすることにより選択する。すると、画像表示／測色位置取得部７により「壁紙」に対応する測色位置データＢ１が得られ、その測色位置データＢ１が測色位置データメモリ８に記録される。このとき、ユーザに照明光測定を開始させるためのメッセージとして、例えば、図１２Ｃに示すように、「照明光測定開始ボタンを押してください」というメッセージが画像表示／測色位置取得部７に表示される。
【００６２】
そして、図１２Ｄに示すように、ユーザは、新しい照明器具の下で不図示の照明光測定開始ボタンを押す。すると、照明センサ１４により照明光データＢ２が得られ、その照明光データＢ２が照明光データメモリ１５に記録される。このとき、測色は行われないため、保存部１２には、画像データＢ、測色位置データＢ１、測色データＢ１、及び照明光データＢ２が互いに対応付けられて保存される。また、色補正部１６において、測色データＢ１及び照明光データＢ２に基づいて、画像データＢの測色位置データＢ１に対応する測色箇所に対して色補正が行われ、その色補正後の画像データＢが図１２Ｅに示すように画像表示／測色位置取得部７に表示される。
【００６３】
これにより、すでに取得済みの画像データにおいて測色箇所の照明光データのみを変更することができる。そのため、例えば、ユーザは、家の中の壁紙を撮影した後、照明器具の販売店に行って新しい照明器具の下で照明光測定を行うことにより、画像表示／測色位置取得部７に表示される画像データを見ながら新しい照明器具における家の壁紙の色を確認することができ、家の壁紙の色に合った照明器具を購入することができる。
【００６４】
第２実施形態の撮像装置１３によれば、ユーザは、画像表示／測色位置取得部７に表示される画像データにおいて測色箇所を選択した後、その測色箇所に測色センサ１０を接触させて測色を行うとともに照明光測定を行うだけで、その画像データの測色箇所と測色データと照明光データとが互いに対応付けられて保存部１２に保存される。このように、第２実施形態の撮像装置１３によれば、簡便な構成で撮像画像の測色箇所と色彩情報と照明光情報とを互いに対応付けることができる。また、第２実施形態の撮像装置１３によれば、単体の撮像装置１３により簡便な構成で色補正を行うことができるため、被写体の正確な色再現を容易に行うことができる。
＜第３実施形態＞
図１３は、第３実施形態の撮像装置を示す図である。なお、図８に示す構成と同じ構成には同じ符号を付している。
【００６５】
図１３に示す撮像装置１７の特徴とする点は、画像表示／測色位置取得部７に補正量入力部１８が備えられている点である。
補正量入力部１８は、ユーザの操作により、色補正時における画像データの色相、彩度、及び明度のそれぞれの補正量が入力される。補正量入力部１８に入力された各補正量は、色補正部１６に送られる。色補正部１６は、補正量入力部１８から送られてきた各補正量に基づいて色補正時における画像データの色相、彩度、及び明度のそれぞれの補正量を調整する。なお、それらの補正量が調整された後に色補正部１６により色補正された画像データは保存部１２に保存されるとともに画像表示／測色位置取得部７に表示される。
【００６６】
第３実施形態の撮像装置１７によれば、ユーザは、画像表示／測色位置取得部７に表示される画像データを見ながら画像データ全体の見た目を調整することができる。
【符号の説明】
【００６７】
１  撮像装置
２  撮影レンズ
３  ＲＧＢカラー撮像素子
４  信号処理部
５  Ａ／Ｄ変換部
６  ＲＧＢ画像メモリ
７  画像表示／測色位置取得部
８  測色位置データメモリ
９  光源
１０  測色センサ
１１  測色データメモリ
１２  保存部
１３  撮像装置
１４  照明センサ
１５  照明光データメモリ
１６  色補正部
１７  撮像装置
１８  補正量入力部
【図１】
2010268409.tif 000003
【図２】
2010268409.tif 000004
【図４】
2010268409.tif 000005
【図６】
2010268409.tif 000006
【図８】
2010268409.tif 000007
【図９】
2010268409.tif 000008
【図１２Ａ】
2010268409.tif 000009
【図１２Ｂ】
2010268409.tif 000010
【図１２Ｃ】
2010268409.tif 000011
【図１２Ｄ】
2010268409.tif 000012
【図１３】
2010268409.tif 000013
【図３Ａ】
2010268409.tif 000014
【図３Ｂ】
2010268409.tif 000015
【図３Ｃ】
2010268409.tif 000016
【図３Ｄ】
2010268409.tif 000017
【図３Ｅ】
2010268409.tif 000018
【図３Ｆ】
2010268409.tif 000019
【図５】
2010268409.tif 000020
【図７】
2010268409.tif 000021
【図１０Ａ】
2010268409.tif 000022
【図１０Ｂ】
2010268409.tif 000023
【図１０Ｃ】
2010268409.tif 000024
【図１０Ｄ】
2010268409.tif 000025
【図１０Ｅ】
2010268409.tif 000026
【図１０Ｆ】
2010268409.tif 000027
【図１０Ｇ】
2010268409.tif 000028
【図１０Ｈ】
2010268409.tif 000029
【図１１Ａ】
2010268409.tif 000030
【図１１Ｂ】
2010268409.tif 000031
【図１１Ｃ】
2010268409.tif 000032
【図１１Ｄ】
2010268409.tif 000033
【図１１Ｅ】
2010268409.tif 000034
【図１２Ｅ】
2010268409.tif 000035